(57)【要約】      （修正有）【課題】サーフボードにフィンを装着する場合に、工具を用いることなく、簡単に取り付け、取り外しができるフィン取付構造を提供する。【解決手段】サーフボード１の支持板３に設けた支持溝の先部に押圧スプリング６を取り付け、また後部に固定ピン７を配置すると共に、支持溝は後部上端から前記底部の前記押圧スプリングに至るガイド溝８を設け、フィンの先部に突出部１０を設けると共に、後部に凹部５を配置することにより、前記突出部をガイド溝に沿ってフィン２を進入し、前記押圧スプリングの押圧方向に掛る力を前記固定ピンに嵌入した凹部に掛けることで、フィンをサーフボードに着脱自在にしたフィンの取付構造。【選択図】図３
2012250658.tif 000002
【特許請求の範囲】
【請求項１】
サーフボードの下部後方にフィンとそのフィンを取り付ける支持板とからなるフィン取付構造において、
前記支持板が、前記サーフボードの前記フィン取付位置に前記フィンが入る幅と長さの支持溝を形成して埋設し、しかも前記支持溝内の前方か後方のいずれか一方に押圧スプリングを設置するとともに、前記支持溝の他方に前記溝を横切る固定ピンを配置し、前記支持溝の側面には溝上方端から前記押圧スプリングまでガイド溝を形成したものであり、
前記フィンの底部には、その底部に前記ガイド溝に沿って前記フィンを挿入する突出部を設けるとともに、前記突出部とは反対側に前記支持板の固定ピンを嵌入する凹部を形成したもの
であることを特徴とするサーフボードのフィン取付構造。
【請求項２】
前記ガイド溝の前記押圧スプリング付近を、前記フィンの凹部が前記支持板の固定ピンから外れるまでの距離、前記支持板の底面に対して平行にしたことを特徴とする請求項１に記載のサーフボードのフィン取付構造。
【請求項３】
前記フィンの突出部と前記支持板のガイド溝は、それぞれに相対して両側壁に設けたことを特徴とする請求項１に記載のサーフボードのフィン取付構造。
【請求項４】
前記フィンの凹部が前記支持板の固定ピンから外れた場合、前記ガイド溝の前記支持板の底部と反対側にフィン落下防止用穴を設けたことを特徴とする請求項２又は３に記載のサーフボードのフィン取付構造。
【発明の詳細な説明】
【技術分野】
【０００１】
本発明は、サーファーが波乗りに用いるサーフボードのフィン取付構造に関する。
【背景技術】
【０００２】
サーフボードの本体部は発泡樹脂の全表面に塗料を塗布したものからなり、この本体部はサーフボードを使用する人によってその大きさや、サーフボードの下部におけるフィンの数や取付箇所を専門家が設計して仕上げる。
【０００３】
特に、従来サーフボードへフィンを取り付ける構造の一つとしては、たとえば図１１と図１２に示すように、サーフボード１００の後方中央線上に１つと、その斜め前方の両側にある一点鎖線上に２つのサメのヒレ形のフィン１１０，１２０，１３０が取り付けられているものがある。これらフィンのサーフボードへの取付構造としては、予めサーフボード１００の上記鎖線上に、外周に凹凸（図示せず）を設けてサーフボードから引き抜けできないようにするとともに、上面の外周に接着材としての溶融樹脂の侵入防止用の縁（図示せず）を突出して設けた略円錐台形の支持板１４０を、サーフボード１００に設けた穴との間に前記樹脂を詰めてから嵌入し、その樹脂の硬化後に前記縁をサンドペーパー等で除去するものがある。前記支持板は、前記一点鎖線上に１個のフィンに対して２個、１４０，１４０'宛設置し、それぞれの支持板１４０，１４０'の中央に設けた支持溝１５０，１５０'内に、フィン１１０，１２０，１３０の底部に設けた前後２つの凸部１６０，１６０'を嵌入し、凸部１６０，１６０'、横の窪み１７０，１７０'に、予め前記支持溝１５０，１５０'の横上面から前記窪み１７０，１７０'が位置する斜め方向に雄ネジ１８０，１８０'を入れる雌ネジを設けている。この窪み１７０，１７０'には、一端に六角レンチ穴を有する頭なし雄ネジ１８０，１８０'を螺着することにより、レンチ１９０によって雄ネジ１８，１８'を前記支持溝１５０，１５０'の横上面から斜め下方向に進入して、雄ネジ１８０，１８０'の先端を前記窪み１７０，１７０'に当接することで、前記フィン１１０，１２０，１３０の凸部１６０，１６０'を支持板１４０，１４０'に固定する。
【０００４】
上記サーフボード１００へのフィン１１０，１２０，１３０の取付構造は、サーフボードのメーカにおいて、１個のフィンに対して前後２個の支持板１４０，１４０'をサーフボード１００に取り付ける必要があり、その取り付けはフィン１３０等に２個ある凸部１６０，１６０'間との位置合わせや、前後２個の支持溝１５０，１５０'を同一線上に設定しなければ、フィンの凸部を嵌入することができない。また、サーフボードのユーザにおいて、フィンをサーフボードに取り付け、取り外しの際に、各支持板１４０，１４０'にある雄ネジ１８０，１８０'をレンチ１９０によって進退しなければならず、手間が掛るだけでなく、レンチ１９０を紛失するなど不便が生じた。
【０００５】
また、別の従来例として、図９、図１０の構造があり、これはサーフボード２００にフィン２１０，２２０，２３０を、前記従来例と同じ様に取り付けられる。これらフィンのサーフボードへの取付構造としては、中央に細長い支持溝２５０を形成した細長の支持板２４０を、前記従来例と同様に、サーフボードに設けた穴に嵌入して樹脂で硬化し、互いに一体化している。そして、支持溝２５０内の後方にピン２６０が幅方向に架設されており、前方の支持板２４０に設けた切欠部３１０に向っては、支持板２４０の前上面から斜め下方（図上は上方）に六角レンチ穴を有する雄ネジ２８０が六角レンチ２９０により進退可能に設置されている。この支持溝２５０にフィンの底部水平部２７０を固定してフィン２２０をサーフボードに取り付けるには、予め雄ネジ２８０を支持溝２５０内に突出しないように六角レンチ２９０を雄ネジの六角レンチ穴に入れてから左廻りに後退させておき、フィン２２０の後方下部に設けた凹部３００を前記ピン２６０に嵌め込んでからフィン２２０の下部全体を支持溝２５０内に嵌着し、最後に前記後退していた雄ネジ２８０を六角レンチ２９０を右廻りさせることで雄ネジ２８０の先端を前記切欠部３１０に当接することにより、フィン２２０はサーフボード２００に固着される。
【０００６】
上記サーフボード２００へのフィン２１０，２２０，２３０の取付構造は、サーフボードのメーカにおいて、支持板２４０をサーフボード２００に取り付ける必要があり、その取り付けは支持板２４０が一枚板であるので直線上に位置合わせすることは容易であるが、雄ネジ２８０を六角レンチ２９０によりフィンの切欠部３１０に当接するまで前進させたり、フィン２２０をサーフボード２００から引き離すまで後退させるといった手間と時間が掛るだけでなく、レンチそのものを紛失するなどの難点があった。
【発明の概要】
【発明が解決しようとする課題】
【０００７】
本発明は、上記不都合を解決するために、サーフボードへフィンを取り付けるのにレンチ等の工具を用いることなく、かつワンタッチの操作を可能にしたものであり、しかもフィン底部の前部と後部をサーフボードに埋設した支持板に脱着自在に装着可能にしたサーフボードのフィン取付構造を提供せんとする。
【課題を解決するための手段】
【０００８】
本発明の要旨は、サーフボードの下部後方にフィンとそのフィンを取り付ける支持板とからなるフィン取付構造において、前記支持板が、前記サーフボードの前記フィン取付位置に前記フィンが入る幅と長さの支持溝を形成して埋設し、しかも前記支持溝内の前方か後方のいずれか一方に押圧スプリングを設置するとともに、前記支持溝の他方に前記溝を横切る固定ピンを配置し、前記支持溝の側面には溝上方端から前記押圧スプリングまでガイド溝を形成したものであり、前記フィンの底部には、その先底部に前記ガイド溝に沿って前記フィンを挿入する突出部を設けるとともに、前記突出部とは反対側に前記支持板の固定ピンを嵌入する凹部を形成したものであることを特徴とするサーフボードのフィン取付構造に特徴がある。
【０００９】
上記本発明のサーフボードのフィン取付構造は、前方に押圧スプリングがある場合、フィンの支持板への装着時にフィンの突出部をガイド溝に沿って進入させてから押圧スプリングの圧に抗して押し込んで行き、その後フィン後部の凹部を支持板の固定ピンに嵌入することにより、フィンの後方では固定ピンと凹部の嵌合が押圧スプリングの力で保持されると共に、フィンの先方の突出部がガイド溝内に保持されることで、フィンを支持板へ固定し、脱出時には前記操作と逆に、固定ピンを凹部から外すためにフィンを押圧スプリングに抗して前方に進ませることで、前記凹部を前記固定ピンから外すことによって、フィンを支持板から取り外す。
【００１０】
前記フィンを支持板に装着する時と脱出する時、フィンは装着時の最後段階と脱出時の初期段階において、どちらも支持板の支持溝の底面上にフィン底部が摺動するが、その場合に前記ガイド溝の前記スプリング付近を平行にすることで、前記フィンの支持板からの着脱をスムースにすることができる。
【００１１】
前記フィンの突出部をフィンの先方の底部の両側に設け、また前記突出部を摺動案内する支持板のガイド溝を支持板の支持溝の両側壁に設けることにより、フィンの支持板への脱着をスムースにすることができる。
前記ガイド溝には、前記フィンの凹部が前記支持板の固定ピンが外れた場合、前記フィンの突出部を係合するフィン落下防止用穴を設けることもできる。
【発明の効果】
【００１２】
本発明のフィンが、サーフボードに固定した支持板への取り付け、取り外しを、フィンの底部先方又は後方でフィンの突出部と支持板のガイド溝とで、またフィンの底部後方又は先方では凹部と支持板の固定ピンとにおいて、それぞれ押圧スプリングの作用によってフィンと支持板との係合を強固に保持する。
【図面の簡単な説明】
【００１３】
【図１】本発明のフィンのサーフボードへの取付状態を示す概略説明図である。
【図２】本発明のサーフボードに取り付けた支持板の平面図である。
【図３】支持板にフィンを取り付けた一部断面図である。
【図４】図３のＡ−Ａ断面図である。
【図５】支持板への初期のフィン取付説明図である。
【図６】図５から進行したフィン取付説明図である。
【図７】図６からさらに進行したフィン取付説明図である。
【図８】フィンの支持板への取付直前の説明図である。
【図９】従来のサーフボードへのフィン取付説明図である。
【図１０】図９の支持板へフィンを取り付けた一部断面図である。
【図１１】図９とは別の従来例としてのサーフボードへのフィン取付説明図である。
【図１２】図１１のフィンを支持板へ取り付けた一部断面図である。
【発明を実施するための形態】
【００１４】
フィンのサーフボードの支持板における着脱を、フィン底部先方又は後方の突出部と支持板のガイド溝と、またフィン底部後方又は先方の凹部と支持板の固定ピンとを設けることにより、それぞれの摺動及び嵌脱、すなわち押圧スプリングの付勢により前記凹部と固定ピンの嵌合を十分に保持し、またフィンを押圧スプリングに抗して前記凹部を固定ピンから離脱することをワンタッチで可能にしたものである。
【実施例】
【００１５】
図１は、サーフボード１の底部後方にある支持板３にフィン２を取り付ける概略説明図、図２は図１のサーフボード１における支持板３の一つを取り付けた平面図、図３は支持板３にフィン２を取り付けた本発明の要部を示す一部断面を有する正面図、図４は図３のＡ−Ａ断面図、図５乃至図８は本発明のフィン２をサーフボードの支持板３への取付状態を順に示す説明図である。
【００１６】
図１乃至図３における本発明であるサーフボードのフィン取付構造は、図１と図２に示すように、予めサーフボード１に支持板３を取り付けたもので、その支持板３は、サーフボード１の下方底部に細長い穴を開けておき、これとは別に、上部に平面から見て細長いロの字型の長方形で、その下部を前記ロの字型より大きい長方形とした略門型断面の上板１４と、その上板１４を載置した略π字形断面とを接合した下板１５を合わせて接着して全体をチャンネル状の支持溝１１とし、これを前記細長い穴の中に樹脂により前記サーフボード１と融着して埋設している。なお、前記略門形断面の下部と略π字形の上部間を後述するガイド溝８８としている。
【００１７】
また、前記チャンネル状の支持溝は図３〜図５等の図番８で見られるように、先部において押圧スプリング６を支持溝４内に嵌め込むとともに、後部に固定ピン７を支持溝４の内壁に架け渡して支持板３を仕上げている。
【００１８】
なお、前記支持溝４の後部上縁の一部は、上記ガイド溝８，８'の出口としてガイド溝より幅の広い切欠部１２を設けて、後述するフィン２の突起部１０が入るガイド溝８，８'の入口１２としている。ガイド溝８，８'は、前記入口１２から前記押圧スプリング６の端面に至る支持溝４の両側壁にガイド溝８，８'を設け、そのガイド溝８，８'は前記押圧スプリング６付近で支持板３の底面と平行な溝８，８'を、少なくとも後述するフィン２の凹部５を前記固定ピン７から外れるまでの距離で形成している。
【００１９】
一方、図１、図３、及び図４に示すフィン２は、全体として鱶ヒレの形状にしたもので、その底部前面には前記押圧スプリング６を隙間を空けて覆い被せる切断部９として設けるとともに、その切断部の後方には突出部１０をフィンの両側に設けている。また、フィン２の底部後端には、前記固定ピン７と嵌合する凹部５を形成している。
【００２０】
さらに、フィン２を押圧スプリング６に抗して前方に押すと、前記フィンの凹部５が前記支持板３の固定ピン７から外れると、フィン２の突出部１０がガイド溝８，８'を伝わってフィン２がサーフボード１の支持板３から外れて、海中に落下しないように、図３に示すように、突出部１０の下方のガイド溝８，８'にフィン落下防止用穴４を設けている。
【００２１】
つぎに、サーフボード１に埋設した支持板３に、フィン２を取り付け、そして取り外す手順を説明する。
【００２２】
サーフボード１に埋設した支持板３にフィン２を係合するには、まずフィン２の先部両側にある突出部１０をガイド溝８，８'の入口１２より進入させる（図５）。
【００２３】
ついで、侵入した突出部１０はガイド溝８に沿って斜め前方の押圧スプリング８まで近付くと、突出部１０の先方にある切断部９の先端が押圧スプリング８，８'に当たる。
【００２４】
さらに、そのまま切断部９の先で押圧スプリング８，８'を圧縮させながら、フィン２を前方に進行していく。
【００２５】
最後にフィン２の凹部５が支持板３の固定ピン７に嵌入する位置（図８）において、フィン２の押圧スプリング８，８'への押圧力を緩めることで前記凹部５は固定ピン７に嵌入してセットを完了する（図３）。
【００２６】
反対に、支持板３からフィン２を外すには、フィン２の先端と支持板３との余裕部分１６において、フィン２を押圧スプリング６に抗して先方に進めると、フィン後方の凹部５が固定ピン７から外れると、突出部１０を軸として左回転してフィンを支持板３から持ち上げる。ついで、フィン２の突出部１０をガイド溝８に沿って斜め下方に引き出すことにより、突出部１０を切欠部１２から外してフィン２を支持板３から引き離すようにする。
なお、サーフボード１の使用中に波圧等で凹部５がピン７から外れても、ガイド溝８，８'に設けたフィン落下防止穴４中に突出部１０が嵌入することで、直には突出部１０がガイド溝８，８'を通ることにより、フィン２がサーフボード１から外れないように工夫している。
【産業上の利用可能性】
【００２７】
本発明は、スポーツ用品としてのサーフボードにおけるフィンの取り付けと、取り外し構造に適用するものである。
【符号の説明】
【００２８】
１・・・サーフボード
２・・・フィン
３・・・サーフボードに取り付けた支持板
４・・・フィン落下防止用穴
５・・・フィンの凹部
６・・・押圧スプリング
７・・・固定ピン
８，８'・・・ガイド溝
１０・・・突出部
１１・・・支持溝
【図１】
2012250658.tif 000003
【図２】
2012250658.tif 000004
【図３】
2012250658.tif 000005
【図４】
2012250658.tif 000006
【図５】
2012250658.tif 000007
【図６】
2012250658.tif 000008
【図７】
2012250658.tif 000009
【図８】
2012250658.tif 000010
【図９】
2012250658.tif 000011
【図１０】
2012250658.tif 000012
【図１１】
2012250658.tif 000013
【図１２】
2012250658.tif 000014